(57)【特許請求の範囲】
【請求項１】
被施療者の腕施療部を有するマッサージ機であって、
前記腕施療部は、第１ベース部と、
前記第１ベース部に対向して配置された第２ベース部と、
前記第１ベース部の前記第２ベース部側に直接設けられた第１膨縮袋と、
前記第２ベース部の前記第１ベース部側に直接設けられた、突起部および前記突起部の周囲の第２膨縮袋と、
または、
前記第２ベース部の前記第１ベース部側に直接設けられた第３膨縮袋、および前記第３膨縮袋の前記第１ベース部側に積層された突起部および前記突起部の周囲に設けられた第２膨縮袋と、を含み、
前記第２膨縮袋が膨張した場合の膨張高さは、前記被施療者の腕が前記突起部に接触することを防止できるよう前記突起部の垂直方向の高さより高い、マッサージ機。
【請求項２】
前記第２膨縮袋は制御部により収縮した状態と膨張した状態とが切り替え可能であり、
前記第２膨縮袋を膨張状態としたとき、前記第１膨縮袋および前記第２膨張袋により前記被施療者の腕が押し付けられるように構成され、
前記第２膨縮袋を収縮状態としたとき、前記突起部により前記被施療者の腕が押圧マッサージを受けるように構成されている、請求項１記載のマッサージ機。
【発明の詳細な説明】
【技術分野】
【０００１】
本発明は、被施療者にマッサージを行うエアバッグおよびマッサージ機に関する。
【背景技術】
【０００２】
特開２０１３−４６６７３号公報（特許文献１）には、支持手段の揺動を、使用者の脚と腕の少なくとも一方である揺動対象にしっかり伝え、狙いのマッサージ効果を得ることができるマッサージ装置について開示されている。
【０００３】
特開２０１３−２２２２３号公報（特許文献２）には、エアを動力源として、据置き式マッサージ器本体によるマッサージの他、必要に応じて、患部に巻き付けられるマッサージ帯状体によるマッサージを可能にしたマッサージ装置について開示されている。
【０００４】
特開２００２−１６５８５２公報（特許文献３）には指圧刺激を含めてバラエティに富んだマッサージ刺激を容易に実現することができるマッサージ機について開示されている。
【先行技術文献】
【特許文献】
【０００５】
【特許文献１】特開２０１３−４６６７３号公報
【特許文献２】特開２０１３−２２２２３号公報
【特許文献３】特開２００２−１６５８５２号公報
【発明の概要】
【発明が解決しようとする課題】
【０００６】
特許文献１乃至３には、指圧に関するマッサージ機について開示されている。しかしながら、指圧の突起が出入りする構造においては、孔部が形成されるため、ユーザ利用の構造上望ましくない。
また、指圧の突起部分が常に突出している状態では、突起による指圧が不要と感じる場合に問題となる。
【０００７】
本発明の主な目的は、押圧マッサージを受けたい場合には、適切な押圧マッサージを受けることができ、エアバッグのマッサージを受けたい場合には、適切なエアバッグのマッサージを受けることができるエアバッグおよびマッサージ機を提供することである。
【課題を解決するための手段】
【０００８】
（１）
一局面に従うエアバッグは、ベース部と、ベース部に設けられた押圧用の１または複数の突起部と、１または複数の突起部の周囲で、かつベース部に設けられた１または複数の膨縮袋と、を含み、１または複数の膨縮袋の膨張高さは、１または複数の突起部の突起高さ以上で形成されたものである。
【０００９】
この場合、押圧用の１または複数の突起部を用いてマッサージを行う場合には、１または複数の膨縮袋を収縮させることで、被施療者に対して、押圧用の１または複数の突起部により押圧を行うことができる。
一方、１または複数の突起部を用いてマッサージを行わない場合には、１または複数の膨縮袋を膨張させることで、被施療者の身体が突起部に、ほぼ触れないため、周囲の１または複数の膨張袋による、押圧ではないマッサージを受けることができる。したがって、被施療者の種々のニーズに対応することができる。
ここで、押圧とは、主に気体等に由来する圧力ではなく、固体物による圧力を意味する。
また、上記の１または複数の膨縮袋の膨張高さは、被施療者の肌が接触していない状態の高さを意味し、膨張袋に対して内圧だけが加えられ、外力（被施療者との接触により生じる力）がかかっていない状態を意味する。
その結果、膨張袋に外力が加えられる場合、すなわち、膨張袋を用いて被施療者へマッサージを行う場合には、膨張袋が圧迫されて膨張袋の高さが減るため、突起部が数ミリ膨張袋の高さよりも高くなる場合もある。なお、突起部が数ミリ膨張袋の高さよりも高くなる場合でも、被施療者へ突起部による押圧マッサージを感じさせないレベルであることはいうまでもない。
【００１０】
（２）
第２の発明にかかるエアバッグは、一局面に従うエアバッグにおいて、１または複数の突起部は、ベース部との間に１または複数の膨縮袋が設けられてもよい。
【００１１】
この場合、１または複数の突起部は、ベース部との間に１または複数の膨縮袋が設けられているので、押圧用の１または複数の突起部を移動させ、被施療者に適切な押圧を加えることができる。
【００１２】
（３）
第３の発明にかかるエアバッグは、一局面または第２にかかるエアバッグにおいて、ベース部は、対向した位置にそれぞれ設けられ、少なくとも一方のベース部に１または複数の突起部が設けられ、少なくとも他方のベース部に前記１または複数の膨縮袋が設けられてもよい。
【００１３】
この場合、対向して設けられたベース部に対して、一方のベース部に１または複数の突起部が設けられ、他方のベース部の当該突起部に対向した部位に１または複数の膨縮袋が設けられている。そのため、押圧マッサージを受けたい場合には、他方のベース部の１または複数の膨縮袋を膨張させることで、押圧マッサージを被施療者に供与することができる。
また、膨縮袋によりマッサージを受けたい場合には、一方のベース部の１または複数の突起部の周囲に設けられた１または複数の膨縮袋を膨張させることで、被施療者の身体が１または複数の突起部に接触することを防止することができる。
その結果、膨張袋によるマッサージを被施療者に供与することができる。また、押圧マッサージおよび膨縮袋によるマッサージのいずれか一方を選択することができ、被施療者の種々のニーズに対応することができる。
【００１４】
（４）
他の発明に従うエアバッグは、ベース部と、ベース部に設けられた１または複数の膨縮袋と、１または複数の膨縮袋の内部で、かつベース部側に設けられた押圧用の１または複数の突起部と、を含むものである。
【００１５】
この場合、押圧によるマッサージを受けたい場合には、１または複数の膨縮袋を膨らませずに、１または複数の突起部を用いてマッサージを受けることができる。
一方、膨縮袋によりマッサージを受けたい場合には、１または複数の膨縮袋を膨らませることで、被施療者の身体が１または複数の突起部に接触することを防止することができる。
その結果、膨張袋によるマッサージを被施療者に供与することができる。
【００１６】
（５）
さらに他の発明にかかるマッサージ機は、請求項１乃至４のいずれか１項に記載のエアバッグを含むものである。
【００１７】
この場合、押圧用の１または複数の突起部を用いてマッサージを行う場合には、１または複数の膨縮袋を収縮させることで、被施療者に対して、押圧用の１または複数の突起部により押圧を行うことができる。
一方、１または複数の突起部を用いてマッサージを行わない場合には、１または複数の膨縮袋を膨張させることで、被施療者の身体が突起部に触れないため、周囲の１または複数の膨張袋による、押圧ではないマッサージを受けることができる。
【図面の簡単な説明】
【００１８】
【図１】本発明の実施形態によるマッサージ機の構成を示す斜視図である。
【図２】腕施療部および腕エアバッグ部の構造の一例を示す模式図である。
【図３】腕施療部および腕エアバッグ部の構造の一例を示す模式図である。
【図４】押圧用突起部および膨縮袋の一例を示す模式図である。
【図５】腕エアバッグ部の他の例を示す模式図である。
【図６】腕エアバッグ部の他の例を示す模式図である。
【図７】腕エアバッグ部の他の例を示す模式図である。
【図８】腕エアバッグ部の他の例を示す模式図である。
【図９】腕エアバッグ部の他の例を示す模式図である。
【図１０】腕エアバッグ部の他の例を示す模式図である。
【図１１】腕エアバッグ部の他の例を示す模式図である。
【図１２】腕エアバッグ部の他の例を示す模式図である。
【図１３】腕エアバッグ部の他の例を示す模式図である。
【図１４】腕エアバッグ部の他の例を示す模式図である。
【図１５】腕エアバッグ部の他の例を示す模式図である。
【発明を実施するための形態】
【００１９】
以下、図面を参照して、本発明の実施形態を詳しく説明する。図中同一又は相当部分には同一符号を付してその説明を繰り返さない。なお、説明をわかりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２０】
[実施の形態]
図１は、本発明の実施形態によるマッサージ機１００の構成を示す斜視図である。
図１に示すように、本発明の実施形態によるマッサージ機１００は、座部２００、背凭れ部３００、基台部４００、制御部４５０、腕施療部５００、操作部７００、スタンド８００および脚載部９００を備える。
【００２１】
なお、以下の説明において、図１に示すように、マッサージ機１００においては、座部２００に背凭れ部３００が形成された側を後側（ＢＡＣＫ）と仮定し、後側（ＢＡＣＫ）と逆側を前側（ＦＲＯＮＴ）と仮定し、それぞれ、左側（ＬＥＦＴ）および右側（ＲＩＧＨＴ）と、上側（ＵＰ）および下側（ＤＯＷＮ）とを仮定する。
【００２２】
図１に示すように、マッサージ機１００の背凭れ部３００は、被施療者の肩、腰、背中を支持するとともに、前後方向に起倒可能に形成される。また、背凭れ部３００には、施療子（一対の揉み玉）がガイドレールに沿って上下方向に移動可能に内蔵されている。施療子は、揉み、叩き、ローリングなどの多様な施療動作が可能なよう、一対の揉み玉で形成される。
【００２３】
また、図１に示すように、腕施療部５００は、座部２００の左右両側に立設して設けられる。腕施療部５００には、後述する腕エアバッグ部６００（図２から図１３参照）の１または複数の反復膨張する膨縮袋（図２から図１３参照）が内蔵され、該膨縮袋により被施療者の腕を支持しつつ施療する。
【００２４】
また、図１の座部２００に立設して設けられた腰エアバッグ部２５０には、腕エアバッグ部６００と同様の１または複数の反復膨張する膨縮袋（エアー施療部）が内蔵され、該膨縮袋により被施療者の臀部を支持しつつ施療する。また、脚載部９００は、座部２００および基台部４００の前端に軸支され、脚載部９００自体が回動可能に設けられている。
脚載部９００においては、腕エアバッグ部６００と同様の１または複数の反復膨張する膨縮袋（図示略）が設けられており、該膨縮袋により被施療者の脚を施療する。
【００２５】
さらに、制御部４５０は、一対の施療子、腰エアバッグ部２５０、腕施療部５００および脚載部９００の１または複数の膨縮袋の動作を制御する。特に、本実施の形態において、制御部４５０は、複数の膨縮袋のそれぞれ個別に動作させることができる。
【００２６】
次に、本実施の形態にかかる腕施療部５００および腕エアバッグ部６００の構造について説明する。図２および図３は、腕施療部５００および腕エアバッグ部６００の構造の一例を示す模式図であり、図４は、押圧用突起部６３０および膨縮袋６４０の一例を示す模式図である。
【００２７】
以下においては、左右両側に設けられた腕施療部５００のうち、右側の腕施療部５００のみについて説明を行う。
【００２８】
図２に示すように、腕施療部５００の腕エアバッグ部６００は、ベースとなるフレームまたはフレームに取り付けられた樹脂部品６１０、６２０（以下、基体と呼ぶ）が対向して設けられる。
【００２９】
図２および図３に示すように、基体６１０には、膨縮袋６５０が設けられる。また、図２および図４に示すように、基体６２０には、押圧用突起部６３０および膨縮袋６４０が設けられる。
【００３０】
図４の基体６２０に設けられた押圧用突起部６３０は、例えば、高さＨ＝２ｃｍ以下の半球形状の樹脂製品からなる。なお、樹脂製品に限定されず、弾性体、ゴム等からなってもよい。さらに、高さＨ＝２ｃｍとしたが、これに限定されず、他の任意の数値からなってもよい。
また、図４に示すように、押圧用突起部６３０の周囲には、膨縮袋６４０が設けられている。
膨縮袋６４０は、膨縮袋６４０が膨張した場合、押圧用突起部６３０の高さＨよりも高くなる（Ｈ以上となる）ように形成されている。
【００３１】
例えば、図２に示すように、押圧マッサージを受けたい場合、制御部４５０は、基体６１０の膨縮袋６５０を反復膨張させる。以下、反復膨張とは、膨張と収縮とを所定の間隔で繰り返すことをいう。その結果、被施療者の手が膨縮袋６５０により基体６２０に設けられた押圧用突起部６３０に押し付けられる。その結果、被施療者は、押圧マッサージを受けることができる。
【００３２】
次に、図３に示すように、押圧マッサージではなく、膨縮袋６４０，６５０によるマッサージを受けたい場合、制御部４５０は、基体６１０の膨縮袋６５０を反復膨張させるとともに、基体６２０の膨縮袋６４０を膨張させた状態にする。その結果、被施療者は、押圧マッサージではなく、膨縮袋６４０，６５０によるマッサージを受けることができる。
また、基体６１０，６２０に孔を形成する必要がないため、被施療者の身体を挟み込むおそれがなく、埃が入り込む場所がなく、清掃も容易に行うことができる。
【００３３】
（腕エアバッグ部の他の例）
図５は、図２から図４に示した腕エアバッグ部６００の他の例を示す模式図である。
【００３４】
図５に示すように、腕エアバッグ部６００は、基体６２０に複数の押圧用突起部６３０が設けられ、複数の押圧用突起部６３０の間に複数の膨縮袋６４０が設けられる。
【００３５】
（腕エアバッグ部のさらに他の例）
図６および図７は、図２から図５に示した腕エアバッグ部６００の他の例を示す模式図である。
【００３６】
図６および図７に示すように、腕エアバッグ部６００の基体６１０には、膨縮袋６５０が設けられている。
また、図６および図７に示すように、基体６２０には、膨縮袋６６０が設けられ、膨縮袋６６０に押圧用突起部６３０が積層して設けられる。さらに、押圧用突起部６３０の周囲に膨縮袋６４０が設けられる。
【００３７】
図６に示すように、押圧マッサージを受けたい場合、制御部４５０は、基体６１０の膨縮袋６５０を反復膨張させる。
また、制御部４５０は、膨縮袋６６０を反復膨張させ、膨張袋６４０を収縮させた状態にする。
その結果、被施療者の手が膨縮袋６５０，６６０により基体６２０および膨縮袋６６０に設けられた押圧用突起部６３０に押し付けられる。その結果、被施療者は、押圧マッサージを受けることができる。
【００３８】
次に、図７に示すように、押圧マッサージではなく、膨縮袋６４０，６５０によるマッサージを受けたい場合、制御部４５０は、基体６１０の膨縮袋６５０を反復膨張させるとともに、基体６２０の膨縮袋６４０を膨張させた状態にする。その結果、被施療者は、押圧マッサージではなく、膨縮袋６４０，６５０によるマッサージを受けることができる。
また、基体６１０，６２０に孔を形成する必要がないため、被施療者の身体を挟み込むおそれがなく、埃が入り込む場所がなく、清掃も容易に行うことができる。
【００３９】
（腕エアバッグ部のさらに他の例）
図８および図９は、図２から図７に示した腕エアバッグ部６００のさらに他の例を示す模式図である。
【００４０】
図８および図９に示すように、腕エアバッグ部６００の基体６１０には、膨縮袋６５０、６７０および押圧用突起部６３０が設けられている。膨縮袋６７０は、基体６１０側の押圧用突起部６３０の周囲に設けられている。
また、図８および図９に示すように、基体６２０には、押圧用突起部６３０および、押圧用突起部６３０の周囲に膨縮袋６４０が設けられている。
【００４１】
図８に示すように、押圧マッサージを受けたい場合、制御部４５０は、基体６１０の膨縮袋６５０を反復膨張させるとともに、膨縮袋６７０を収縮させた状態にする。
また、制御部４５０は、膨縮袋６４０を収縮させた状態にする。
その結果、被施療者の手が膨縮袋６５０により基体６２０および膨縮袋６５０に設けられた押圧用突起部６３０に押し付けられる。その結果、被施療者は、押圧マッサージを受けることができる。
【００４２】
次に、図９に示すように、押圧マッサージではなく、膨縮袋６４０，６５０，６７０によるマッサージを受けたい場合、制御部４５０は、基体６１０の膨縮袋６５０を反復膨張させるとともに、基体６１０の膨縮袋６７０を膨張させた状態にする。
また、制御部４５０は、基体６２０の膨縮袋６４０を膨張させた状態にする。その結果、被施療者は、押圧マッサージではなく、膨縮袋６４０，６５０，６７０によるマッサージを受けることができる。
【００４３】
（腕エアバッグ部のさらに他の例）
図１０および図１１は、図２から図９に示した腕エアバッグ部６００の他の例を示す模式図である。
【００４４】
図１０および図１１に示すように、腕エアバッグ部６００の基体６１０には、膨縮袋および押圧用突起部が設けられていない。
また、図１０および図１１に示すように、基体６２０には、膨縮袋６６０が設けられ、膨縮袋６６０に押圧用突起部６３０が積層して設けられる。さらに、押圧用突起部６３０の周囲に膨縮袋６４０が設けられる。
【００４５】
図１０に示すように、押圧マッサージを受けたい場合、制御部４５０は、膨縮袋６４０を収縮させた状態にし、膨縮袋６６０を反復膨張させる。
その結果、被施療者の手が膨縮袋６６０に設けられた押圧用突起部６３０に押し付けられる。その結果、被施療者は、押圧マッサージを受けることができる。
【００４６】
次に、図１１に示すように、押圧マッサージではなく、膨縮袋６４０，６６０によるマッサージを受けたい場合、制御部４５０は、基体６２０の膨縮袋６６０を反復膨張させるとともに、基体６２０の膨縮袋６４０を膨張させた状態にする。
その結果、被施療者は、押圧マッサージではなく、基体６１０および膨縮袋６４０，６６０によるマッサージを受けることができる。
【００４７】
（腕エアバッグ部６００の他の例）
図１２および図１３は、図２から図１１に示した腕エアバッグ部６００のさらに他の例を示す模式図である。
【００４８】
図１２および図１３に示すように、腕エアバッグ部６００の基体６１０には、膨縮袋６５０に膨縮袋６９０および押圧用突起部６３０が積層して設けられており、膨縮袋６９０内に押圧用突起部６３０が内蔵されている。
また、図１２および図１３に示すように、基体６２０には、膨縮袋６５０に膨縮袋６９０および押圧用突起部６３０が積層して設けられており、膨縮袋６９０内に押圧用突起部６３０が内蔵されている。
【００４９】
図１２に示すように、押圧マッサージを受けたい場合、制御部４５０は、基体６１０，６２０の膨縮袋６５０を反復膨張させるとともに、膨縮袋６９０を収縮させた状態にする。
その結果、被施療者の手が膨縮袋６５０により膨縮袋６５０に設けられた押圧用突起部６３０に押し付けられる。その結果、被施療者は、押圧マッサージを受けることができる。
【００５０】
次に、図１３に示すように、押圧マッサージではなく、膨縮袋６９０によるマッサージを受けたい場合、制御部４５０は、基体６１０，６２０の膨縮袋６５０を反復膨張させるとともに、基体６１０，６２０の膨縮袋６９０を膨張させた状態にする。
その結果、被施療者は、押圧マッサージではなく、膨縮袋６５０，６９０によるマッサージを受けることができる。
【００５１】
図１４は、腕エアバッグ部６００の他の例を示す模式図であり、図１５は、腕エアバッグ部６００の他の例を示す模式図である。
【００５２】
まず、図１４に示すように、腕エアバッグ部６００は、複数の押圧用突起部６３０および複数の押圧用突起部６３１が千鳥状配置で形成されている。
複数の押圧用突起部６３０は、例えば、高さＨ＝２ｃｍ以下の半球形状の樹脂製品からなる。また、複数の押圧用突起部６３１は、例えば、高さＨ１＝１ｃｍ以下の半球形状の樹脂製品からなる。なお、樹脂製品に限定されず、弾性体、ゴム等からなってもよい。さらに、高さＨ＝２ｃｍ、高さＨ１＝１ｃｍとしたが、これに限定されず、他の任意の数値からなってもよい。
【００５３】
また、複数の押圧用突起部６３０および複数の押圧用突起部６３１の間には、膨縮袋６４１が配置される。膨縮袋６４１は、膨張時に円筒状に形成され、膨縮時の高さは、Ｈ以上からなる。また、図１４に示すように、一部の膨縮袋６４１の破線は、膨縮袋６４１が膨張した状態を示したものである。
【００５４】
次に、図１５に示すように、腕エアバッグ部６００は、複数の押圧用突起部６３２および押圧用突起部６３３が形成されている。また、押圧用突起部６３２および押圧用突起部６３３の間には、膨縮袋６４０が形成されている。
【００５５】
複数の押圧用突起部６３２は、例えば、高さＨ２＝０．８ｃｍ以下の半球形状の樹脂製品からなる。なお、樹脂製品に限定されず、弾性体、ゴム等からなってもよい。さらに、高さＨ２＝０．８ｃｍとしたが、これに限定されず、他の任意の数値からなってもよい。
また、押圧用突起部６３３は、四角錐台、主に台形柱からなる。なお、図１５に示すように、押圧用突起部６３３の天面は、曲面状からなることが好ましい。被施療者への施療において痛みを与えることを防止するためである。押圧用突起部６３３は、例えば、高さＨ２＝０．８ｃｍ以上の樹脂製品からなる。なお、樹脂製品に限定されず、弾性体、ゴム等からなってもよい。
【００５６】
また、複数の膨縮袋６４０，６４１，６５０，６６０，６７０，６９０の膨張高さは、被施療者の肌が接触していない状態の高さを意味し、膨張袋６４０，６４１，６５０，６６０，６７０，６９０に対して内部に気体の挿入が行われ、被施療者との接触により生じる力がかかっていない状態を意味する。
その結果、膨張袋６４０，６４１，６５０，６６０，６７０，６９０に外力が加えられる場合、すなわち、膨張袋６４０，６４１，６５０，６６０，６７０，６９０を用いて被施療者へマッサージを行う場合には、膨張袋６４０，６４１，６５０，６６０，６７０，６９０が圧迫されて膨張袋６４０，６４１，６５０，６６０，６７０，６９０の高さが減るため、それぞれ対応する押圧用突起部６３０，６３１，６３２，６３３の高さＨ，Ｈ１，Ｈ２が数ミリ膨張袋６４０，６４１，６５０，６６０，６７０，６９０の高さよりも高くなる場合もある。
【００５７】
なお、腕エアバッグ部６００は、マッサージ機１００のみならず、他の部分マッサージ機にも適用することができる。さらに、腕エアバッグ部６００と同じ構成を、脚載部９００、腰エアバッグ部２５０等、任意の部位または任意の位置に適用しても良い。
また、上記においては、押圧マッサージについて説明を行ったが、押圧マッサージとは、指圧マッサージの上位概念化であり、指圧マッサージも含まれる。したがって、押圧用突起部６３０，６３１，６３２，６３３は、指圧用突起部も含まれる。
【００５８】
以上のように、本実施の形態にかかる腕エアバッグ部６００およびマッサージ機１００において、押圧用の１または複数の押圧用突起部６３０を用いてマッサージを行う場合には、１または複数の膨縮袋６４０，６７０，６９０を収縮させることで、被施療者に対して、押圧用の１または複数の押圧用突起部６３０により押圧マッサージを行うことができる。
一方、１または複数の押圧用突起部６３０を用いてマッサージを行わない場合には、１または複数の膨縮袋６４０，６７０，６９０を膨張させることで、被施療者の身体が、周囲の１または複数の膨張袋６４０，６７０，６９０によりマッサージを受けることができる。
【００５９】
また、図６、７に示す腕エアバッグ部６００は、１または複数の押圧用突起部６３０と、基体６２０との間に１または複数の膨縮袋６６０が設けられているので、膨縮袋６６０を反復膨張させることで押圧用の１または複数の押圧用突起部６３０を移動させ、被施療者に適切な指圧を加えることができる。
【００６０】
また、図２、３に示すように、対向して設けられた基体６１０，６２０に対して、一方の基体６２０に１または複数の押圧用突起部６３０が設けられ、他方の基体６１０に１または複数の膨縮袋６５０が設けられているので、押圧マッサージを受けたい場合には、他方の基体６１０の１または複数の膨縮袋６５０を膨張させることで、押圧マッサージを被施療者に供与することができ、膨縮袋によりマッサージを受けたい場合には、一方の１または複数の押圧用突起部６３０の周囲に設けられた１または複数の膨縮袋６４０を膨張させることで、被施療者の身体が１または複数の押圧用突起部６３０に接触することを防止することができる。
その結果、膨張袋によりマッサージを被施療者に供与することができる。
【００６１】
さらに、図１２、図１３に示すように、押圧マッサージを受けたい場合には、１または複数の膨縮袋６９０を膨らませずに、１または複数の押圧用突起部６３０を用いて押圧マッサージを受けることができる。
一方、膨縮袋によりマッサージを受けたい場合には、１または複数の膨縮袋６９０を膨らませることで、被施療者の身体が１または複数の押圧用突起部６３０に接触することを防止することができる。
その結果、膨張袋によるマッサージを被施療者に供与することができる。
【００６２】
（実施形態における各部と請求項の各構成要素との対応関係）
本発明において、マッサージ機１００が、「マッサージ機」に相当し、基体６１０，６２０が「ベース部」に相当し、押圧用突起部６３０、６３１、６３２、６３３が「押圧用の１または複数の突起部」に相当し、膨縮袋６４０，６４１，６５０，６６０，６７０，６９０が「１または複数の膨縮袋」に相当し、高さＨ以上，高さＨ１以上，高さＨ２以上が、「膨縮袋の膨張高さ」に相当し、高さＨ，高さＨ１，高さＨ２が「１または複数の突起部の突起高さ」に相当し、腕エアバッグ部６００が「エアバッグ」に相当し、基体６１０が「一方のベース部」に相当し、基体６２０が「他方のベース部」に相当し、膨張袋６９０内が「１または複数の膨縮袋の内部」に相当する。
【００６３】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００６４】
１００  椅子式マッサージ機
２００  座部
３００  背凭れ部
６００  腕エアバッグ部
６１０，６２０  基体
６３０，６３１，６３２，６３３  押圧用突起部
６４０，６４１，６５０，６６０，６７０，６９０  膨縮袋
Ｈ，Ｈ１，Ｈ２  高さ
【図１】
0006752028.tif 000002
【図２】
0006752028.tif 000003
【図３】
0006752028.tif 000004
【図４】
0006752028.tif 000005
【図５】
0006752028.tif 000006
【図６】
0006752028.tif 000007
【図７】
0006752028.tif 000008
【図８】
0006752028.tif 000009
【図９】
0006752028.tif 000010
【図１０】
0006752028.tif 000011
【図１１】
0006752028.tif 000012
【図１２】
0006752028.tif 000013
【図１３】
0006752028.tif 000014
【図１４】
0006752028.tif 000015
【図１５】
0006752028.tif 000016